(57)【要約】 【課題】簡単な構造にして変化の態様に意外性を付与することができる遊技機の可動装飾装置を提供する。【解決手段】可動装飾装置は、クランク１２の回動によって連動ロッド２２を介して開閉されるシャッター板２１（第１装飾部材２）と、これらのクランク１２、連動ロッド２２、シャッター板２１を内蔵する箱形の第２装飾部材３とを有する。シャッター板２１はクランク１２の上方回動により閉鎖され、クランク１２の下方回動により閉鎖される。第２装飾部材３は、連動ロッド２２の上端がその天井部３８に当接された時に閉鎖されたシャッター板２１とともに上方に回動し、連動ロッド２２の下端がその底板部３９に当接された時には開放されたシャッター板２１とともに下方に回動する。【選択図】図３
2008206533.tif 000002
【特許請求の範囲】
【請求項１】
駆動装置によって駆動される第１装飾部材と、第１装飾部材と係合した時に第１装飾部材とともに駆動される第２装飾部材とからなることを特徴とする遊技機の可動装飾装置。
【請求項２】
第１装飾部材は第２装飾部材の内部又は外部に回動可能に軸着され、第２装飾部材は第１装飾部材と係合した時に第１装飾部材と一体に回動可能なものである請求項１に記載の遊技機の可動装飾装置。
【請求項３】
第１装飾部材は第２装飾部材の前側又は後側にスライド可能に配設され、第２装飾部材は第１装飾部材と係合した時に第１装飾部材と一体にスライド可能なものである請求項１に記載の遊技機の可動装飾装置。
【請求項４】
さらに、第２装飾部材を押圧して第２装飾部材の駆動に抵抗を付与する駆動抵抗付与手段を備えた請求項１〜３の何れかに記載の遊技機の可動装飾装置。
【請求項５】
駆動抵抗付与手段を、第２装飾部材との係合を係脱可能なものとした請求項４に記載の遊技機の可動装飾装置。
【発明の詳細な説明】
【技術分野】
【０００１】
本発明は、パチンコ機、スロットマシンなどの遊技機に用いられる可動装飾装置に関するものである。
【背景技術】
【０００２】
従来のパチンコ機の遊技盤においてはセンター役物が配置され、このセンター役物には各種の可動装飾装置を備えて遊技の興趣を盛り上げるようにしたものがある。例えば、特許文献１には、駆動手段によって回転される環状の第１の可動装飾体と、第１の可動装飾体に回転可能に配設された第２の可動装飾体と、前記駆動手段によって第１の可動装飾体が動かされたときに第１の可動装飾体の動きに連動して第２の可動装飾体を動かす連動手段と、を備えた可動装飾装置が開示されている。
【０００３】
しかしながら、従来の可動装飾装置は、第１の可動装飾体と第２の可動装飾体が常に連動して駆動されるものであって、動きが単調なものであったために装飾態様の変化を予測することができて、遊技の内容に意外性を付与することができなかった。このため、遊技の盛り上げ効果においてまだ十分でないという問題があった。
【特許文献１】特開２００３−７９８３６号公報    （図２）
【発明の開示】
【発明が解決しようとする課題】
【０００４】
本発明は、上記した従来の問題点に鑑み、簡単な構造にして変化の態様に意外性を付与することができる遊技機の可動装飾装置を提供することを課題とする。
【課題を解決するための手段】
【０００５】
上記の課題を解決するためになされた本発明に係る遊技機の可動装飾装置は、駆動装置によって駆動される第１装飾部材と、第１装飾部材と係合した時に第１装飾部材とともに駆動される第２装飾部材とからなることを特徴とするものである。
【０００６】
上記した発明において、第１装飾部材は第２装飾部材の内部又は外部に回動可能に軸着され、第２装飾部材は第１装飾部材と係合した時に第１装飾部材と一体に回動可能なものとすることができる。また、第１装飾部材は第２装飾部材の前側又は後側にスライド可能に配設され、第２装飾部材は第１装飾部材と係合した時に第１装飾部材と一体にスライド可能なものとすることができる。可動装飾装置には、さらに、第２装飾部材を押圧して第２装飾部材の駆動に抵抗を付与する駆動抵抗付与手段を備えることができ、また、この駆動抵抗付与手段を、第２装飾部材との係合を係脱可能なものとすることができる。
【発明の効果】
【０００７】
請求項１に係る発明は、第２装飾部材は第１装飾部材と非係合の時には両者一体に駆動することはできないが、第１装飾部材と係合した時には第１装飾部材と一体に駆動することができるので、装飾態様に意外性を持たせて遊技の興趣を盛り上げることができる。
【０００８】
請求項２に係る発明は、第１装飾部材は上下などの方向に回動されるとともに、第２装飾部材は第１装飾部材と係合した時に第１装飾部材とともに上下などの方向に回動することができる。
【０００９】
請求項３に係る発明は、第１装飾部材は左右などの方向にスライドされるとともに、第２装飾部材は第１装飾部材と係合した時に第１装飾部材とともに左右などの方向にスライドすることができる。
【００１０】
請求項４に係る発明は、駆動抵抗付与手段が第２装飾部材に駆動抵抗をかけるので、第１装飾部材と非係合であるときには、第２装飾部材が共に駆動するのを制止できる。
【００１１】
請求項５に係る発明は、駆動抵抗付与手段と第２装飾部材との係合を解除した時には、支軸の摺動摩擦により第２装飾部材の駆動を第１装飾部材に連動させることができるので、係脱の切り替えによって装飾態様にさらに変化を付けることができる。
【発明を実施するための最良の形態】
【００１２】
以下に、本発明の実施形態について詳細に説明する。
図１〜３は、本発明の第１の実施形態である可動装飾装置を示す図であって、１は駆動装置であるモータ、２は第１装飾部材、３は第２装飾部材であって、これらは取付ベース４の所要位置に取り付けられている。第１装飾部材２は、左右の二つが連結部５によって接続されており、それぞれの第２装飾部材３の内部に第１装飾部材２が内装されている。（図１）。
【００１３】
第１装飾部材２は、第２装飾部材３の内壁に支軸２０を介して上下３段に軸着されたシャッター板２１と、シャッター板２１が上下方向に回動可能に軸着されたシャッター連動ロット２２とからなる。支軸２０は第２装飾部材３の内部側面に回転可能に嵌挿されている。また、シャッター板２１は、その背面（遊技者との対向面の裏側）に支軸２１ａを有し、シャッター連動ロッド２２の突起の係合孔２２ａに嵌着されている。シャッター連動ロッド２２は、中央部に孔部２２ｂを有し、この孔部２２ｂに、クランク軸１１の一端に設けられたクランク１２のクランクピン１３が装入されている。クランクピン１３はクランク軸１１により回動される。
【００１４】
第２装飾部材３は、概略形状箱形であって、モータ１側の側面３１に、クランク軸１１が遊嵌される支軸３２を有し、この支軸３２はブラケット３３に回転可能に支承されている。側面３１とブラケット３３との間にはブレーキパッド４０が介在されている。クランク軸１１はモータ軸１１ａと接続しモータによって回転される。また、第２装飾部材３のモータ１とは反対の側面３４には支軸３５が突設され、この支軸３５は、コイルバネ３６が内装されたブラケット３７に支承されている。第２装飾部材３は、コイルバネ３６の弾発力によりその側面３１がブレーキパッド４０に押圧されている。なお、第１装飾部材２の後方にはレンズＬとＬＥＤ１０が配置されている。
【００１５】
本可動装飾装置の変化の態様を図３〜６により説明する。
図３においては、クランク１２の時計回り方向の回転により連動ロッド２２が上方に持ち上げられ、これによって支軸２０を中心として支軸２１ａが上昇されることによりシャッター板２１が閉鎖されている。そして、連動ロッド２２の上端が第２装飾部材３の天井部３８に当接して第２装飾部材３が水平状態に回動された状態となっている。
【００１６】
図３の状態からモータ１が反転された場合には、クランク１２の反時計回り方向の回転により連動ロッド２２が下方に押し下げられ、これによって支軸２１ａの下降によりシャッター板２１が水平状態に開放されるとともに、連動ロッド２２の下端が第２装飾部材３の底板部３９に当接される（図４）。図３から図４の状態に移行する間は、コイルバネ３６の押圧による摩擦抵抗により第２装飾部材３はその回動を制止されている。
【００１７】
連動ロッド２２の下端が第２装飾部材３の底板部３９に当接されている図４の状態から引き続いて、クランク１２が反時計回り方向に回転されると、連動ロッド２２の下端は、コイルバネ３６の押圧による摩擦抵抗に抗して、第２装飾部材３を回動させて、図５の状態に至る。
【００１８】
図５の状態に至ると、モータ１の逆転により今度はクランク１２が時計回り方向に回転されるので、連動ロッド２２が持ち上げられることとなって、これによりシャッター板２１が再び閉鎖される。そして連動ロッド２２の上端が第２装飾部材３の天井部３８に当接されるので（図６）、モータ１のさらなる回転により第２装飾部材は時計回り方向に回転されて、元の図３の状態に戻る。以上の図３〜図６の状態を繰り返すことによって、遊技機に意外性のある装飾を施すことができる。
【００１９】
なお、図３〜４の状態を繰り返すことにより、第１装飾部材２のみを動かすことができる。これにより、第２装飾部材３を回動させずに、シャッター板２１を繰り返し開閉させることが可能となり、前記図３〜図６の状態を繰り返すのとは異なった装飾態様が行える。
【００２０】
図７〜９に、第２の実施形態の可動装飾装置を示す。この装飾装置は眼球の動きを模したものであって、モータ１と、モータ１によって駆動される第１装飾部材２と、第１装飾部材２と係合して回動する第２装飾部材３とからなる。
【００２１】
この実施形態において、眼球を模した第１装飾部材２は、モータ軸１１ａに接続された支軸３２aがブラケット３３に回転可能に支承されている。第１装飾部材２の他方の側面には、ブラケット３７に差し込まれた支軸３５ａを有し、この支軸３５ａにはコイルバネ３６が装着されている。
【００２２】
そして、第１装飾部材２を覆うようにまぶたを模した第２装飾部材３が配設されている。第２装飾部材３のモータ側側面にはブレーキパッド４０が介在されている。また前記コイルバネ３６は、ソレノイド６のプランジャ６１に装着されているので、プランジャ６１が開放突出した時にはコイルバネ３６の押圧により第２装飾部材３に回動抵抗を付与することができる。プランジャ６１を吸引後退させてコイルバネ３６による第２装飾部材３との押圧係合を解除したときには、第２装飾部材３に回動抵抗は付与されない。この場合には、第２装飾部材３は、支軸３２ａ、３５ａとの摩擦力により第１装飾部材２とともに不規則に回動することができる。すなわち、支軸３２ａ、３５ａはそれぞれ第２装飾部材３の孔に遊嵌されているので、第１装飾部材２と一体に回動したり、ずれを生じながら回動したり、或いはまた回動されなかったりする。
【００２３】
第２の実施形態の可動装飾装置の変化態様を、図１０〜１２により説明する。
図１０は支軸３２ａが時計回り方向に回転されて第１装飾部材２，第２装飾部材３ともに最大上向きに回動された状態である。この状態から支軸３２ａが反時計回り方向に回転されると、図１１に示す如く先ず第１装飾部材２のみが下向きに回動される。プランジャ６１が突出した状態では、第２装飾部材３に回動抵抗が掛かっているので、第２装飾部材３の回動は制止される。しかし、図１１の状態に至って第１装飾部材２の下端が第２装飾部材の内側下部に当接する状態になった場合には、回動抵抗に抗して第２装飾部材３は第１装飾部材２とともに回動される。したがって、図１２に示すように眼を閉じた状態となる。この状態でモータ１が逆転されると再び図１０の状態に戻る。したがって、眼球の動きとまぶたの開閉という二つの動きを連続して行うことができる。
【００２４】
なお、図１３、１４に示すように、ソレノイド６に替えてコイルバネ３６のみを用いたばあいには、常にコイルバネ３６が第２装飾部材３を一方に（図では右方に）押圧するので、第２装飾部材３には回動に対する抵抗力が負荷された状態が維持される。
【００２５】
以上の実施形態においては、第１装飾部材２、第２装飾部材３を上下方向に回動されるものとしたが、これらの装飾部材２，３を左右方向或いは斜め方向に回動されるものとすることもできる。
【００２６】
図１５には第３の実施形態の可動装飾装置を示す。この装飾装置は中央付近に表示用開口部７ａを有する薄い箱形形状の筐体７と、モータギア１１２によって左右に移動される第１装飾部材２と、その前方に配置され第１装飾部材２と係合した時に左右に移動される第２装飾部材３とからなる。筐体７は左右に下向きのストッパー７１を有する。第２装飾部材３には、移動抵抗を付与するための弾性バネ５０が当接されている。
【００２７】
第１装飾部材２は外形が横長の凸形であって、左右の肩部に角形の切込み部２４を有し、底辺にはモータギア１１２と噛合するラックギア２５を備えている。第１装飾部材２は複数の図柄表示部２６を備えている。
【００２８】
第２装飾部材３は外形が略長方形であって、その左右両端の上部には後方（遊技者と反対側）に突出し前記切込み部２４に衝突可能な突板３０を備えている。また、第２装飾部材３は複数の図柄表示部２７と、その中間に第１装飾部材２の図柄を表示する開口部３ａを備えている。図１５の状態では、第１装飾部材２の図柄表示部２６と第２装飾部材３の図柄表示部２７は正対して重なった位置にあり、第２装飾部材３の開口部３ａに対応した第１装飾部材２の図柄が表示される。
【００２９】
第１装飾部材２と第２装飾部材３は、それぞれ左右方向に伸びる長孔９１、９２を有し、この長孔９１、９２に、筐体７に設けた支軸７２が差し込まれて筐体７に支承されている。
【００３０】
図１５の状態では、右側の切込み部２４と突板３０とは離間しているが、モータ１の駆動によりモータギア１１２に噛合されたラックギア２５が右方に移動し、図１６のように切込み部２４が突板３０に当接する位置まで移動すると、第１装飾部材２の別の図柄が表示される。更にラックギア２５を移動すると第１装飾部材２と第２装飾部材３とは共に右方に移動し、突板３０が右側のストッパー７１に衝突して停止する（図１７）。この場合は第２装飾部材３の図柄表示部が筐体７の開口部７ａに対応し表示される。
【００３１】
その後モータギア１１２の逆転により、図１５の状態に戻った後、図１８のように切込み部２４が突板３０に衝突されるので、第１装飾部材２と第２装飾部材３とは共に左方に移動することとなる。移動は突板３０が左側のストッパー７１に衝突して停止する（図１９）。以上のような第１装飾部材２のみの単独移動と、第１装飾部材２と第２装飾部材３との一体移動との繰り返しにより、各々の図柄表示部を別個に表示することができるので、装飾態様に意外性を付与して遊技板を装飾することができる。
【００３２】
また、以上の実施形態においては、第１装飾部材２、第２装飾部材３を左右方向にスライドされるものとしたが、これらの装飾部材２，３を上下方向或いは斜め方向にスライドされるものとすることもできる。
【００３３】
以上に説明したように、本発明は、第２装飾部材３を第１装飾部材２と係合したときのみ移動させることができるので、第１装飾部材２のみの移動、第１装飾部材２と第２装飾部材３との一体移動とを繰り返し切り替えて行うことができるので、例えば、大当たりの信頼度に合わせて動作を使い分けることによって、装飾態様に意外性を持たせて遊技の興趣を盛り上げることができる。
【図面の簡単な説明】
【００３４】
【図１】第１の実施形態の可動装飾装置の平面断面図である。
【図２】図１の可動装飾装置の正面断面図である。
【図３】第２装飾部材が水平で、シャッター板が閉鎖された状態の断面図である。
【図４】第２装飾部材が水平で、シャッター板が開放された状態の断面図である。
【図５】第２装飾部材が斜めで、シャッター板が開放された状態の断面図である。
【図６】第２装飾部材が斜めで、シャッター板が閉鎖された状態の断面図である。
【図７】第２の実施形態の可動装飾装置の平面断面図である。
【図８】図７の可動装飾装置の正面断面図である。
【図９】図７の可動装飾装置の側面断面図である。
【図１０】第１装飾部材、第２装飾部材ともに上方に回動された状態の断面図である。
【図１１】第１装飾部材が下方に回動途中である状態の断面図である。
【図１２】第１装飾部材、第２装飾部材ともに下方に回動された状態の断面図である。
【図１３】第２の実施形態の可動装飾装置の変更型を示す平面断面図である。
【図１４】図１３の可動装飾装置の正面断面図である。
【図１５】第３の実施形態の可動装飾装置を透視して示す、（ａ）平面図、（ｂ）正面図、（ｃ）側面図である。
【図１６】第１装飾部材が第２装飾部材の右側突板に衝突した状態の、（ａ）平面図、（ｂ）正面図である。
【図１７】第２装飾部材の右側突板がストッパー７１に衝突した状態の、（ａ）平面図、（ｂ）正面図である。
【図１８】第１装飾部材が第２装飾部材の左側突板に衝突した状態の、（ａ）平面図、（ｂ）正面図である。
【図１９】第２装飾部材の左側突板がストッパー７１に衝突した状態の、（ａ）平面図、（ｂ）正面図である。
【符号の説明】
【００３５】
２  第１装飾部材、３  第２装飾部材、１２  クランク、２１  シャッター板、２２  連動ロッド、３８  第２装飾部材の天井部、３９  第２装飾部材の底板部、
【図１】
2008206533.tif 000003
【図２】
2008206533.tif 000004
【図３】
2008206533.tif 000005
【図４】
2008206533.tif 000006
【図５】
2008206533.tif 000007
【図６】
2008206533.tif 000008
【図７】
2008206533.tif 000009
【図８】
2008206533.tif 000010
【図９】
2008206533.tif 000011
【図１０】
2008206533.tif 000012
【図１１】
2008206533.tif 000013
【図１２】
2008206533.tif 000014
【図１３】
2008206533.tif 000015
【図１４】
2008206533.tif 000016
【図１５】
2008206533.tif 000017
【図１６】
2008206533.tif 000018
【図１７】
2008206533.tif 000019
【図１８】
2008206533.tif 000020
【図１９】
2008206533.tif 000021